(57)【特許請求の範囲】
【請求項１】
撮像した複数枚の静止画像及び／又は動画像を記憶手段に記憶する機能を有する画像処理装置であって、
光学系の条件を変更可能な撮像レンズを備える撮像手段と、
該撮像手段により撮像された複数の画像を関連付けて記憶する記憶手段と、
前記撮像レンズの光学系の条件を変更する指示を出力する光学系の条件変更指示手段と、
前記記憶手段に関連付けて記憶しようとする複数の画像の内の最初の画像を撮像して記憶した後に、前記光学系の条件変更指示手段から前記撮像レンズの光学系の条件を変更する指示があった際に、新たな関連付けられた複数の画像の撮像動作と記憶動作とを開始する様に制御する制御手段と、
を具備することを特徴とする画像処理装置。
【請求項２】
前記光学系の条件とは、前記撮像レンズの焦点距離であることを特徴とする請求項１に記載の画像処理装置。
【請求項３】
前記複数の画像を関連付けるとは、複数の画像からパノラマ画像を合成することであることを特徴とする請求項１に記載の画像処理装置。
【請求項４】
前記複数の画像は、画素ずらしを行って撮像した画像であり、前記複数の画像を関連付けるとは、前記画素ずらしを行って撮像した複数の画像から高解像度の画像を合成することであることを特徴とする請求項１に記載の画像処理装置。
【請求項５】
撮像した複数枚の静止画像及び／又は動画像を記憶手段に記憶する機能を有する画像処理装置であって、
光学系の条件を変更可能な撮像レンズを備える撮像手段と、
該撮像手段により撮像された複数の画像を関連付けて記憶する記憶手段と、
前記撮像レンズの光学系の条件を変更する指示を出力する光学系の条件変更指示手段と、
外部に所定の情報を表示する表示手段と、
前記記憶手段に関連付けて記憶しようとする複数の画像の内の最初の画像を撮像して記憶した後に、前記光学系の条件変更指示手段から前記撮像レンズの光学系の条件を変更する指示があった際に、前記表示手段により警告情報を表示した後に、新たな関連付けられた複数の画像の撮像動作と記憶動作とを開始する様に制御する制御手段と、
を具備することを特徴とする画像処理装置。
【請求項６】
前記光学系の条件とは、前記撮像レンズの焦点距離であることを特徴とする請求項５に記載の画像処理装置。
【請求項７】
前記複数の画像を関連付けるとは、複数の画像からパノラマ画像を合成することであることを特徴とする請求項５に記載の画像処理装置。
【請求項８】
前記複数の画像は、画素ずらしを行って撮像した画像であり、前記複数の画像を関連付けるとは、前記画素ずらしを行って撮像した複数の画像から高解像度の画像を合成することであることを特徴とする請求項５に記載の画像処理装置。
【請求項９】
光学系の条件を変更可能な撮像レンズを備える撮像手段と、該撮像手段により撮像された複数の画像を関連付けて記憶する記憶手段と、前記撮像レンズの光学系の条件を変更する指示を出力する光学系の条件変更指示手段とを備える画像処理装置を制御するための画像処理装置の制御方法であって、
前記記憶手段に関連付けて記憶しようとする複数の画像の内の最初の画像を撮像して記憶した後に、前記光学系の条件変更指示手段から前記撮像レンズの光学系の条件を変更する指示があった際に、新たな関連付けられた複数の画像の撮像動作と記憶動作とを開始することを特徴とする画像処理装置の制御方法。
【請求項１０】
前記光学系の条件とは、前記撮像レンズの焦点距離であることを特徴とする請求項９に記載の画像処理装置の制御方法。
【請求項１１】
前記複数の画像を関連付けるとは、複数の画像からパノラマ画像を合成することであることを特徴とする請求項９に記載の画像処理装置の制御方法。
【請求項１２】
前記複数の画像は、画素ずらしを行って撮像した画像であり、前記複数の画像を関連付けるとは、前記画素ずらしを行って撮像した複数の画像から高解像度の画像を合成することであることを特徴とする請求項９に記載の画像処理装置の制御方法。
【請求項１３】
光学系の条件を変更可能な撮像レンズを備える撮像手段と、該撮像手段により撮像された複数の画像を関連付けて記憶する記憶手段と、前記撮像レンズの光学系の条件を変更する指示を出力する光学系の条件変更指示手段と、外部に所定の情報を表示する表示手段とを備える画像処理装置を制御するための画像処理装置の制御方法であって、
前記記憶手段に関連付けて記憶しようとする複数の画像の内の最初の画像を撮像して記憶した後に、前記光学系の条件変更指示手段から前記撮像レンズの光学系の条件を変更する指示があった際に、前記表示手段により警告情報を表示した後に、新たな関連付けられた複数の画像の撮像動作と記憶動作とを開始することを特徴とする画像処理装置の制御方法。
【請求項１４】
前記光学系の条件とは、前記撮像レンズの焦点距離であることを特徴とする請求項１３に記載の画像処理装置の制御方法。
【請求項１５】
前記複数の画像を関連付けるとは、複数の画像からパノラマ画像を合成することであることを特徴とする請求項１３に記載の画像処理装置の制御方法。
【請求項１６】
前記複数の画像は、画素ずらしを行って撮像した画像であり、前記複数の画像を関連付けるとは、前記画素ずらしを行って撮像した複数の画像から高解像度の画像を合成することであることを特徴とする請求項１３に記載の画像処理装置の制御方法。
【請求項１７】
光学系の条件を変更可能な撮像レンズを備える撮像手段と、該撮像手段により撮像された複数の画像を関連付けて記憶する記憶手段と、前記撮像レンズの光学系の条件を変更する指示を出力する光学系の条件変更指示手段とを備える画像処理装置を制御する制御プログラムを格納した記憶媒体であって、該制御プログラムが、
前記記憶手段に関連付けて記憶しようとする複数の画像の内の最初の画像を撮像して記憶した後に、前記光学系の条件変更指示手段から前記撮像レンズの光学系の条件を変更する指示があった際に、新たな関連付けられた複数の画像の撮像動作と記憶動作とを開始する工程のコードを具備することを特徴とする記憶媒体。
【請求項１８】
前記光学系の条件とは、前記撮像レンズの焦点距離であることを特徴とする請求項１７に記載の記憶媒体。
【請求項１９】
前記複数の画像を関連付けるとは、複数の画像からパノラマ画像を合成することであることを特徴とする請求項１７に記載の記憶媒体。
【請求項２０】
前記複数の画像は、画素ずらしを行って撮像した画像であり、前記複数の画像を関連付けるとは、前記画素ずらしを行って撮像した複数の画像から高解像度の画像を合成することであることを特徴とする請求項１７に記載の記憶媒体。
【請求項２１】
光学系の条件を変更可能な撮像レンズを備える撮像手段と、該撮像手段により撮像された複数の画像を関連付けて記憶する記憶手段と、前記撮像レンズの光学系の条件を変更する指示を出力する光学系の条件変更指示手段と、外部に所定の情報を表示する表示手段とを備える画像処理装置を制御する制御プログラムを格納した記憶媒体であって、該制御プログラムが、
前記記憶手段に関連付けて記憶しようとする複数の画像の内の最初の画像を撮像して記憶した後に、前記光学系の条件変更指示手段から前記撮像レンズの光学系の条件を変更する指示があった際に、前記表示手段により警告情報を表示した後に、新たな関連付けられた複数の画像の撮像動作と記憶動作とを開始する工程のコードを具備することを特徴とする記憶媒体。
【請求項２２】
前記光学系の条件とは、前記撮像レンズの焦点距離であることを特徴とする請求項２１に記載の記憶媒体。
【請求項２３】
前記複数の画像を関連付けるとは、複数の画像からパノラマ画像を合成することであることを特徴とする請求項２１に記載の記憶媒体。
【請求項２４】
前記複数の画像は、画素ずらしを行って撮像した画像であり、前記複数の画像を関連付けるとは、前記画素ずらしを行って撮像した複数の画像から高解像度の画像を合成することであることを特徴とする請求項２１に記載の記憶媒体。
【発明の詳細な説明】
【０００１】
【発明の属する技術分野】
本発明は、静止画像や動画像を撮像、記録、再生する画像処理装置及びその制御方法及び記憶媒体に関する。
【０００２】
【従来の技術】
従来より、固体メモリ素子を有するメモリカードを記録媒体として、静止画像や動画像を記録再生する電子カメラ等の画像処理装置が既に市販されており、カラー液晶パネル等の電子ファインダーを備える電子カメラも販売されている。
【０００３】
これらの電子カメラによれば、撮影前の画像を連続して表示して電子カメラの使用者が構図を決定することや、撮影した画像を再生表示して確認することが可能である。
【０００４】
特に、複数枚撮影した画像を組み合わせてパノラマ画像を作成する機能は利便性が高く、電子カメラの使用者にとって有益な機能となっている。
【０００５】
また、撮像レンズの焦点距離を可変出来る切り替えレンズやズームレンズを備える電子カメラも販売されている。
【０００６】
【発明が解決しようとする課題】
このような従来の電子カメラ等の画像処理装置においては、パノラマ画像の撮影中に、電子カメラ等の画像処理装置の使用者が撮影レンズの焦点距離を切り替えたり、或いはズーミングを行ったりすることがあった。この場合、複数枚撮影した画像を組み合わせてパノラマ画像を作成する際に、焦点距離の違いを補正するために余分な補正演算を行う必要があり、画質が著しく低下することが多く問題であった。
【０００７】
また、撮影レンズの焦点距離を切り替えたり、或いはズーミングを行ったりしたために、それぞれ撮影した画像の構図が個々に著しく異なる場合、合成したパノラマ画像の外形が撮影した画像毎に大きく異なって段付きとなってしまうという問題があった。
【０００８】
さらに、パノラマ撮影の途中で、撮影レンズの焦点距離切り替えがパノラマ撮影に不適当な側に切り替わっているのに気付いた場合、或いはズームレンズのズーム位置がパノラマ撮影に不適当な位置にあることに気付いた場合、パノラマ撮影のために複数枚の撮影を行っている途中であるにも関わらず、撮影レンズの焦点距離を切り替えたり、或いはズーミングを行ったりして前述の問題点を引き起こしてしまうことが起こり易く、問題であった。
【０００９】
従って、本発明は上述した課題に鑑みてなされたものであり、その目的は、焦点距離を変更する機能を有するレンズを使用しても、パノラマ撮影時に問題の発生しない画像処理装置及びその制御方法及び記憶媒体を提供することである。
【００２２】
【課題を解決するための手段】
上述した課題を解決し、目的を達成するために、本発明に係わる画像処理装置は、撮像した複数枚の静止画像及び／又は動画像を記憶手段に記憶する機能を有する画像処理装置であって、光学系の条件を変更可能な撮像レンズを備える撮像手段と、該撮像手段により撮像された複数の画像を関連付けて記憶する記憶手段と、前記撮像レンズの光学系の条件を変更する指示を出力する光学系の条件変更指示手段と、前記記憶手段に関連付けて記憶しようとする複数の画像の内の最初の画像を撮像して記憶した後に、前記光学系の条件変更指示手段から前記撮像レンズの光学系の条件を変更する指示があった際に、新たな関連付けられた複数の画像の撮像動作と記憶動作とを開始する様に制御する制御手段と、を具備することを特徴としている。
【００２３】
また、この発明に係わる画像処理装置において、前記光学系の条件とは、前記撮像レンズの焦点距離であることを特徴としている。
【００２４】
また、この発明に係わる画像処理装置において、前記複数の画像を関連付けるとは、複数の画像からパノラマ画像を合成することであることを特徴としている。
【００２５】
また、この発明に係わる画像処理装置において、前記複数の画像は、画素ずらしを行って撮像した画像であり、前記複数の画像を関連付けるとは、前記画素ずらしを行って撮像した複数の画像から高解像度の画像を合成することであることを特徴としている。
【００２６】
また、本発明に係わる画像処理装置は、撮像した複数枚の静止画像及び／又は動画像を記憶手段に記憶する機能を有する画像処理装置であって、光学系の条件を変更可能な撮像レンズを備える撮像手段と、該撮像手段により撮像された複数の画像を関連付けて記憶する記憶手段と、前記撮像レンズの光学系の条件を変更する指示を出力する光学系の条件変更指示手段と、外部に所定の情報を表示する表示手段と、前記記憶手段に関連付けて記憶しようとする複数の画像の内の最初の画像を撮像して記憶した後に、前記光学系の条件変更指示手段から前記撮像レンズの光学系の条件を変更する指示があった際に、前記表示手段により警告情報を表示した後に、新たな関連付けられた複数の画像の撮像動作と記憶動作とを開始する様に制御する制御手段と、を具備することを特徴としている。
【００２７】
また、この発明に係わる画像処理装置において、前記光学系の条件とは、前記撮像レンズの焦点距離であることを特徴としている。
【００２８】
また、この発明に係わる画像処理装置において、前記複数の画像を関連付けるとは、複数の画像からパノラマ画像を合成することであることを特徴としている。
【００２９】
また、この発明に係わる画像処理装置において、前記複数の画像は、画素ずらしを行って撮像した画像であり、前記複数の画像を関連付けるとは、前記画素ずらしを行って撮像した複数の画像から高解像度の画像を合成することであることを特徴としている。
【００４７】
また、本発明に係わる画像処理装置の制御方法は、光学系の条件を変更可能な撮像レンズを備える撮像手段と、該撮像手段により撮像された複数の画像を関連付けて記憶する記憶手段と、前記撮像レンズの光学系の条件を変更する指示を出力する光学系の条件変更指示手段とを備える画像処理装置を制御するための画像処理装置の制御方法であって、前記記憶手段に関連付けて記憶しようとする複数の画像の内の最初の画像を撮像して記憶した後に、前記光学系の条件変更指示手段から前記撮像レンズの光学系の条件を変更する指示があった際に、新たな関連付けられた複数の画像の撮像動作と記憶動作とを開始することを特徴としている。
【００４８】
また、この発明に係わる画像処理装置の制御方法において、前記光学系の条件とは、前記撮像レンズの焦点距離であることを特徴としている。
【００４９】
また、この発明に係わる画像処理装置の制御方法において、前記複数の画像を関連付けるとは、複数の画像からパノラマ画像を合成することであることを特徴としている。
【００５０】
また、この発明に係わる画像処理装置の制御方法において、前記複数の画像は、画素ずらしを行って撮像した画像であり、前記複数の画像を関連付けるとは、前記画素ずらしを行って撮像した複数の画像から高解像度の画像を合成することであることを特徴としている。
【００５１】
また、本発明に係わる画像処理装置の制御方法は、光学系の条件を変更可能な撮像レンズを備える撮像手段と、該撮像手段により撮像された複数の画像を関連付けて記憶する記憶手段と、前記撮像レンズの光学系の条件を変更する指示を出力する光学系の条件変更指示手段と、外部に所定の情報を表示する表示手段とを備える画像処理装置を制御するための画像処理装置の制御方法であって、前記記憶手段に関連付けて記憶しようとする複数の画像の内の最初の画像を撮像して記憶した後に、前記光学系の条件変更指示手段から前記撮像レンズの光学系の条件を変更する指示があった際に、前記表示手段により警告情報を表示した後に、新たな関連付けられた複数の画像の撮像動作と記憶動作とを開始することを特徴としている。
【００５２】
また、この発明に係わる画像処理装置の制御方法において、前記光学系の条件とは、前記撮像レンズの焦点距離であることを特徴としている。
【００５３】
また、この発明に係わる画像処理装置の制御方法において、前記複数の画像を関連付けるとは、複数の画像からパノラマ画像を合成することであることを特徴としている。
【００５４】
また、この発明に係わる画像処理装置の制御方法において、前記複数の画像は、画素ずらしを行って撮像した画像であり、前記複数の画像を関連付けるとは、前記画素ずらしを行って撮像した複数の画像から高解像度の画像を合成することであることを特徴としている。
【００７２】
また、本発明に係わる記憶媒体は、光学系の条件を変更可能な撮像レンズを備える撮像手段と、該撮像手段により撮像された複数の画像を関連付けて記憶する記憶手段と、前記撮像レンズの光学系の条件を変更する指示を出力する光学系の条件変更指示手段とを備える画像処理装置を制御する制御プログラムを格納した記憶媒体であって、該制御プログラムが、前記記憶手段に関連付けて記憶しようとする複数の画像の内の最初の画像を撮像して記憶した後に、前記光学系の条件変更指示手段から前記撮像レンズの光学系の条件を変更する指示があった際に、新たな関連付けられた複数の画像の撮像動作と記憶動作とを開始する工程のコードを具備することを特徴としている。
【００７３】
また、この発明に係わる記憶媒体において、前記光学系の条件とは、前記撮像レンズの焦点距離であることを特徴としている。
【００７４】
また、この発明に係わる記憶媒体において、前記複数の画像を関連付けるとは、複数の画像からパノラマ画像を合成することであることを特徴としている。
【００７５】
また、この発明に係わる記憶媒体において、前記複数の画像は、画素ずらしを行って撮像した画像であり、前記複数の画像を関連付けるとは、前記画素ずらしを行って撮像した複数の画像から高解像度の画像を合成することであることを特徴としている。
【００７６】
また、本発明に係わる記憶媒体は、光学系の条件を変更可能な撮像レンズを備える撮像手段と、該撮像手段により撮像された複数の画像を関連付けて記憶する記憶手段と、前記撮像レンズの光学系の条件を変更する指示を出力する光学系の条件変更指示手段と、外部に所定の情報を表示する表示手段とを備える画像処理装置を制御する制御プログラムを格納した記憶媒体であって、該制御プログラムが、前記記憶手段に関連付けて記憶しようとする複数の画像の内の最初の画像を撮像して記憶した後に、前記光学系の条件変更指示手段から前記撮像レンズの光学系の条件を変更する指示があった際に、前記表示手段により警告情報を表示した後に、新たな関連付けられた複数の画像の撮像動作と記憶動作とを開始する工程のコードを具備することを特徴としている。
【００７７】
また、この発明に係わる記憶媒体において、前記光学系の条件とは、前記撮像レンズの焦点距離であることを特徴としている。
【００７８】
また、この発明に係わる記憶媒体において、前記複数の画像を関連付けるとは、複数の画像からパノラマ画像を合成することであることを特徴としている。
【００７９】
また、この発明に係わる記憶媒体において、前記複数の画像は、画素ずらしを行って撮像した画像であり、前記複数の画像を関連付けるとは、前記画素ずらしを行って撮像した複数の画像から高解像度の画像を合成することであることを特徴としている。
【００８５】
【発明の実施の形態】
以下、本発明の好適な実施形態について、添付図面を参照して詳細に説明する。
【００８６】
（第１の実施形態）
図１は、本発明の第１の実施形態に係わる画像処理装置の構成を示す図である。
【００８７】
図１において、１００は画像処理装置である。
１４は光学像を電気信号に変換する撮像素子、１６は撮像素子１４のアナログ信号出力をディジタル信号に変換するＡ／Ｄ変換器である。
１８は撮像素子１４、 Ａ／Ｄ変換器１６、 Ｄ／Ａ変換器２６にクロック信号や制御信号を供給するタイミング発生回路であり、メモリ制御回路２２及びシステム制御回路５０により制御される。
２０は画像処理回路であり、 Ａ／Ｄ変換器１６からのデータ或いはメモリ制御回路２２からのデータに対して所定の画素補間処理や色変換処理を行う。
【００８８】
また、画像処理回路２０においては、撮像した画像データを用いて所定の演算処理を行い、得られた演算結果に基づいてシステム制御回路５０が露光制御手段３４０、測距制御手段３４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００８９】
さらに、画像処理回路２０においては、撮像した画像データを用いて所定の演算処理を行い、得られた演算結果に基づいてＴＴＬ方式のＡＷＢ（オートホワイトバランス）処理も行っている。
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００９０】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００９１】
２４は画像表示メモリ、２６はＤ／Ａ変換器、２８はＴＦＴ ＬＣＤ等から成る画像表示部であり、画像表示メモリ２４に書き込まれた表示用の画像データはＤ／Ａ変換器２６を介して画像表示部２８により表示される。
【００９２】
画像表示部２８を用いて撮像した画像データを逐次表示すれば、電子ファインダー機能を実現することが可能である。
【００９３】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００９４】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。
また、メモリ３０はシステム制御回路５０の作業領域としても使用することが可能である。
【００９５】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００９６】
４８はフラッシュであり、ＡＦ補助光の投光機能、フラッシュ調光機能も有する。
【００９７】
露光制御手段３４０、測距制御手段３４２はＴＴＬ方式を用いて制御されており、撮像した画像データを画像処理回路２０によって演算した演算結果に基づき、システム制御回路５０が露光制御手段３４０、測距制御手段３４２に対して制御を行う。
【００９８】
５０は画像処理装置１００全体を制御するシステム制御回路、５２はシステム制御回路５０の動作用の定数、変数、プログラム等を記憶するメモリである。
【００９９】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【０１００】
また、表示部５４は、その一部の機能が光学ファインダー１０４内に設置されている。
【０１０１】
表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、レンズユニット３００の着脱状態表示、通信Ｉ／Ｆ動作表示、日付け・時刻表示、外部コンピュータとの接続状態を示す表示、等がある。
【０１０２】
また、表示部５４の表示内容のうち、光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【０１０３】
さらに、表示部５４の表示内容のうち、ＬＥＤ等に表示するものとしては、例えば、合焦表示、撮影準備完了表示、手振れ警告表示、フラッシュ充電表示、フラッシュ充電完了表示、記録媒体書き込み動作表示、マクロ撮影設定通知表示、二次電池充電状態表示、等がある。
【０１０４】
そして、表示部５４の表示内容のうち、ランプ等に表示するものとしては、例えば、セルフタイマー通知ランプ、等がある。このセルフタイマー通知ランプは、ＡＦ補助光と共用して用いても良い。
【０１０５】
５６は電気的に消去・記録可能な不揮発性メモリであり、例えばＥＥＰＲＯＭ等が用いられる。
【０１０６】
６０，６２，６４，６６，６８，７０，７２，７４及び７６は、システム制御回路５０の各種の動作指示を入力するための操作手段であり、スイッチやダイアル、タッチパネル、視線検知によるポインティング、音声認識装置等の単数或いは複数の組み合わせで構成される。
【０１０７】
ここで、これらの操作手段の具体的な説明を行う。
【０１０８】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【０１０９】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【０１１０】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【０１１１】
６６は選択/切り替えスイッチで、パノラマモード等の撮影及び再生を実行する際に、各種機能の選択及び切り替えを設定することが出来る。
【０１１２】
６８は決定/実行スイッチで、パノラマモード等の撮影及び再生を実行する際に、各種機能の決定及び実行を設定することが出来る。
【０１１３】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン、画像表示部２８のＯＮ／ＯＦＦを設定する画像表示ＯＮ／ＯＦＦボタン、撮影直後に撮影した画像データを画像表示部２８で自動再生するクイックレビュー機能を設定するクイックレビューＯＮ／ＯＦＦボタン等がある。
【０１１４】
７２は圧縮モードスイッチで、ＪＰＥＧ圧縮の圧縮率を選択するため、或いは撮像素子の信号をそのままディジタル化して記録媒体に記録するＣＣＤＲＡＷモードを選択するためのスイッチである。
【０１１５】
ＪＰＥＧ圧縮のモードは、例えばノーマルモードとファインモードが用意されている。
【０１１６】
ＪＰＥＧ圧縮のモードに於いては、撮像素子１４から読み出されてＡ／Ｄ変換器１６、画像処理回路２０、メモリ制御回路２２を介して、メモリ３０に書き込まれた画像データを読み出し、圧縮・伸長回路３２により設定した圧縮率に圧縮を行った後、記録媒体２００或いは２１０に記録を行う。
【０１１７】
ＣＣＤＲＡＷモードでは、撮像素子１４の色フィルタの画素配列に応じて、ライン毎にそのまま画像データを読み出して、Ａ／Ｄ変換器１６、メモリ制御回路２２を介して、メモリ３０に書き込まれた画像データを読み出し、記録媒体２００或いは２１０に記録を行う。
【０１１８】
７４及び７６はズームスイッチで、レンズユニット３００のズーム制御手段３４４を介して撮影レンズ３１０のズーム操作を行うスイッチである。ここで、７４は広角方向にズーミングを行うズームスイッチＷＩＤＥ、７６は望遠方向にズーミングを行うズームスイッチＴＥＬＥである。７４及び７６は一体となった構成のスイッチとしても良い。
【０１１９】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【０１２０】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【０１２１】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【０１２２】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【０１２３】
インターフェース及びコネクタとしては、ＰＣＭＣＩＡカードやＣＦ（コンパクトフラッシュ）カード等の規格に準拠したものを用いて構成して構わない。
【０１２４】
さらに、インタフェース９０及び９４、そしてコネクタ９２及び９６をＰＣＭＣＩＡカードやＣＦ（コンパクトフラッシュ）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【０１２５】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【０１２６】
１１２は通信手段１１０により画像処理装置１００を他の機器と接続するコネクタ或いは無線通信の場合はアンテナである。
【０１２７】
１２０は、レンズマウント１０６内において、画像処理装置１００をレンズユニット３００と接続するためのインタフェース、１２２は画像処理装置１００をレンズユニット３００と電気的に接続するコネクタ、１２４はレンズマウント１０６及び／或いはコネクタ１２２にレンズユニット３００が装着されているか否かを検知するレンズ着脱検知手段である。
【０１２８】
コネクタ１２２は、画像処理装置１００とレンズユニット３００との間で制御信号、状態信号、データ信号等を伝え合うと共に、各種電圧の電流を供給する機能も備えている。また、コネクタ１２２は電気通信のみならず、光通信、音声通信等を伝達する構成としても良い。
【０１２９】
２００はメモリカードやハードディスク等の記録媒体である。
記録媒体２００は、半導体メモリや磁気ディスク等から構成される記録部２０２、画像処理装置１００とのインタフェース２０４、画像処理装置１００と接続を行うコネクタ２０６を備えている。
【０１３０】
２１０はメモリカードやハードディスク等の記録媒体である。
記録媒体２１０は、半導体メモリや磁気ディスク等から構成される記録部２１２、画像処理装置１００とのインタフェース２１４、画像処理装置１００と接続を行うコネクタ２１６を備えている。
【０１３１】
３００は交換レンズタイプのレンズユニットである。
【０１３２】
３０６は、レンズユニット３００を画像処理装置１００と機械的に結合するレンズマウントである。レンズマウント３０６内には、レンズユニット３００を画像処理装置１００と電気的に接続する各種機能が含まれている。
【０１３３】
３１０は撮影レンズ、３１２は絞り機能を備えるシャッターである。
【０１３４】
３２０は、レンズマウント３０６内において、レンズユニット３００を画像処理装置１００と接続するためのインタフェース、３２２はレンズユニット３００を画像処理装置１００と電気的に接続するコネクタである。
【０１３５】
コネクタ３２２は、画像処理装置１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【０１３６】
３４０は絞り機能を備えるシャッター３１２を制御する露光制御手段であり、フラッシュ４８と連携することによりフラッシュ調光機能も有するものである。
【０１３７】
３４２は撮影レンズ３１０のフォーカシングを制御する測距制御手段、３４４は撮影レンズ３１０のズーミングを制御するズーム制御手段である。
【０１３８】
３５０はレンズユニット３００全体を制御するレンズシステム制御回路である。レンズシステム制御回路３５０は、動作用の定数、変数、プログラム等を記憶するメモリやレンズユニット３００固有の番号等の識別情報、管理情報、開放絞り値や最小絞り値、焦点距離等の機能情報、現在や過去の各設定値などを保持する不揮発メモリの機能も備えている。
図２Ａ、図２Ｂ、図３Ａ、図３Ｂ、図４、図５、図６、図７及び図８を参照して、第１の実施形態の動作を説明する。
【０１３９】
図２Ａ、図２Ｂ、図３Ａ、図３Ｂ及び図４は本実施形態の画像処理装置１００の主ルーチンのフローチャートを示す図である。
【０１４０】
図２Ａ、図２Ｂ、図３Ａ、図３Ｂ及び図４を用いて、画像処理装置１００の動作を説明する。
【０１４１】
電池交換等の電源投入により、システム制御回路５０はフラグや制御変数等を初期化すると共に、画像制御装置１００各部の初期化処理を行う（ステップＳ１０１）。
【０１４２】
システム制御回路５０は、モードダイアル６０の設定位置を判断し、モードダイアル６０が電源ＯＦＦに設定されていたならば（ステップＳ１０２）、各表示部の表示を終了状態に変更し、レンズユニット３００が保護手段のバリア等を備えている場合はそれを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（ステップＳ１０３）、ステップＳ１０２に戻る。
【０１４３】
モードダイアル６０がその他のモードに設定されていたならば（ステップＳ１０２）、システム制御回路５０は、電源制御手段８０により電池等により構成される電源８６の残容量や動作情況が画像処理装置１００の動作に問題があるか否かを判断し（ステップＳ１０４）、問題があるならば表示部５４を用いて画像や音声により所定の警告表示を行った後に（ステップＳ１０６）、ステップＳ１０２に戻る。
【０１４４】
なお、画像表示部２８の画像表示がＯＮであったならば、画像表示部２８も用いて画像や音声により所定の警告表示を行う。
【０１４５】
電源８６に問題が無いならば（ステップＳ１０４）、記録媒体２００或いは２１０の動作状態が画像処理装置１００の動作、特に記録媒体に対する画像データの記録再生動作に問題があるか否かを判断し（ステップＳ１０５）、問題があるならば表示部５４を用いて画像や音声により所定の警告表示を行った後に（ステップＳ１０６）、ステップＳ１０２に戻る。
【０１４６】
なお、画像表示部２８の画像表示がＯＮであったならば、画像表示部２８も用いて画像や音声により所定の警告表示を行う。
【０１４７】
記録媒体２００或いは２１０の動作状態に問題が無いならば（ステップＳ１０５）、表示部５４を用いて画像や音声により画像処理装置１００の各種設定状態の表示を行う（ステップＳ１０７）。なお、画像表示部２８の画像表示がＯＮであったならば、画像表示部２８も用いて画像や音声により画像処理装置１００の各種設定状態の表示を行う。
【０１４８】
モードダイアル６０が撮影モードに設定されていたならば（ステップＳ１０８）、所定の撮影処理を実行し（ステップＳ１０９）、処理を終えたならばステップＳ１０２に戻る。
【０１４９】
モードダイアル６０がその他のモードに設定されていたならば（ステップＳ１０８）、システム制御回路５０は選択されたモードに応じた処理を実行し（ステップＳ１１０）、処理を終えたならばステップＳ１０２に戻る。
【０１５０】
モードダイアル６０がパノラマモードに設定されていたならば（ステップＳ１０８）、システム制御回路５０は撮像レンズ３１０のズーム位置が所定のホームポジションであるか否かを判断し（ステップＳ１２１）、ホームポジションに位置していなかった場合はズーム位置をホームポジションに移動する（ステップＳ１２２）。
【０１５１】
なお、撮影レンズ３１０が焦点距離を複数種類に切り替える切り替えレンズであった場合も同様に、システム制御回路５０は撮像レンズ３１０の切り替えレンズの設定が所定のホームポジション側であるか否かを判断し（ステップＳ１２１）、ホームポジション側に位置していなかった場合は切り替えレンズの設定をホームポジション側に移動する（ステップＳ１２２）。
【０１５２】
また、ホームポジションの例としては、ズームレンズであれば、パノラマ撮影に適した広角側の焦点距離であるＷＩＤＥ端が一例としてあげられる。
【０１５３】
そして、焦点距離切り替えレンズであれば、パノラマ撮影に適した広角側の焦点距離であるＷＩＤＥ側の焦点距離を備えるレンズへの切り替えが一例としてあげられる。
【０１５４】
この例に限らず、パノラマ撮影に適した焦点距離に設定するのであれば、何れの焦点距離をホームポジションとしても良い。
システム制御回路５０は、画像表示部２８にパノラマモード選択画面を表示する（ステップＳ１１１）。
【０１５５】
画像処理装置１００の使用者は、画像表示部２８に表示されたパノラマモード選択画面を見て、複数のパノラマ撮影モードから任意のモードを選択することが出来る。
【０１５６】
パノラマ撮影モードには、２×２パノラマモード、水平パノラマモード、垂直パノラマモード等があり、複数の撮影を重ねることにより、２次元的に拡大したパノラマ画像や、水平方向に拡大したパノラマ画像、垂直方向に拡大したパノラマ画像を作成することが出来る。
【０１５７】
撮影した一連の各画像は、その位置関係を示す情報が付加されており、画像処理装置自身で、或いは、コンピュータ等に画像を転送した後に、各画像を結合して１枚のパノラマ画像を作成することが可能である。
なお、パノラマモード選択画面の一例を図９に示す。
図９において、左は２次元的なパノラマ画像を撮影するための２×２パノラマモードを選択するアイコン、中央は水平パノラマ画像を撮影するための水平パノラマモードを選択するアイコン、右は垂直パノラマ画像を撮影するための垂直パノラマモードを選択するアイコンである。
【０１５８】
画像処理装置１００の使用者は、選択／切換えスイッチ６６（例えば[＋]キー）により撮影するパノラマモードを選択し、決定／実行スイッチ６８（例えば[SET]キー）によりパノラマモードを決定することが出来る。
【０１５９】
選択／切換えスイッチ６６及び決定／実行スイッチ６８によりパノラマモードが選択されたならば、システム制御回路５０は、選択されたパノラマモードに応じて（ステップＳ１１２）、２×２パノラマモード初期設定（ステップＳ１１３）、垂直パノラマモード初期設定（ステップＳ１１４）、水平パノラマモード初期設定（ステップＳ１１５）において、フラグやパラメータ、変数の初期値、メモリ領域の設定や、ユーザーインターフェースとしての表示画面の読み出し等、をそれぞれ行い、各モードに応じたパノラマ撮影画面を画像表示部２８に表示して（ステップＳ１１６）、ステップＳ１３１に進む。
【０１６０】
なお、水平パノラマモード撮影画面の一例を図１０に、垂直パノラマモード撮影画面の一例を図１１に、２×２パノラマ撮影画面の一例を図１２に、それぞれ示す。
【０１６１】
図１０において、（ａ）は右方向に連続して撮影を繰り返し、パノラマ画面を作成する撮影画面、（ｂ）は左方向に連続して撮影を繰り返し、パノラマ画面を作成する撮影画面である。
【０１６２】
図中、一連のパノラマ画像の１枚目の撮影用に、電子ファインダによるスルー画像が「１」の領域に表示され、また、１枚目の撮影完了前であれば、選択／切換えスイッチ６６（例えば[＋]キー）により、右方向撮影（ａ）と左方向撮影（ｂ）を随時切り替えることが出来る。
【０１６３】
撮影方向の決定は、希望する（ａ）或いは（ｂ）何れかの表示画面状態で、シャッターボタンを押して１枚目の撮影を実行することで行われる。
【０１６４】
なお、決定／実行スイッチ６８（例えば[SET]キー）を押すことにより、水平パノラマモードでの撮影を終了することが出来る。
【０１６５】
また、図１１において、（ａ）は上方向に連続して撮影を繰り返し、パノラマ画面を作成する撮影画面、（ｂ）は下方向に連続して撮影を繰り返し、パノラマ画面を作成する撮影画面である。
【０１６６】
図中、一連のパノラマ画像の１枚目の撮影用に、電子ファインダによるスルー画像が「１」の領域に表示され、また、１枚目の撮影完了前であれば、選択／切換えスイッチ６６（例えば[＋]キー）により、上方向撮影（ａ）と下方向撮影（ｂ）を随時切り替えることが出来る。
【０１６７】
撮影方向の決定は、希望する（ａ）或いは（ｂ）何れかの表示画面状態で、シャッターボタンを押して１枚目の撮影を実行することで行われる。
【０１６８】
なお、決定／実行スイッチ６８（例えば[SET]キー）を押すことにより、垂直パノラマモードでの撮影を終了することが出来る。
【０１６９】
また、図１２において、（ａ）は２次元的に縦横計４枚の撮影を繰り返し、２×２のパノラマ画面を作成する撮影画面の１枚目の撮影用画面である。同じく、（ｂ）は２枚目の撮影用画面である。
【０１７０】
図中、パノラマ画像の１枚目の撮影用に、電子ファインダによるスルー画像が例えば右上の領域に表示される。
【０１７１】
１枚目の撮影を終えたならば、撮影した画像の再生画像を例えば右上の領域に表示し、２枚目の撮影用に、電子ファインダによるスルー画像が例えば右下の領域に表示される。
【０１７２】
電子ファインダーによる撮影領域は、撮影の度に次の領域へと順次送られるが、任意の領域から撮影を開始することが可能であり、また、撮影済みの領域に戻って撮影をやり直すことも可能である。このため、選択／切換えスイッチ６６（例えば[＋]キー）により、随時、撮影領域を移動することが出来る。
【０１７３】
やり直し撮影領域の決定及び撮影実行は、希望する領域を選択した表示画面状態で、シャッターボタンを押して撮影を実行することで行われる。
【０１７４】
なお、決定／実行スイッチ６８（例えば[SET]キー）を押すことにより、２×２パノラマモードでの撮影を終了することが出来る。
【０１７５】
システム制御回路５０は、システム制御回路５０の内部メモリ或いはメモリ５２に設定したフラグや変数を初期化する。例えば、パノラマ撮影開始フラグを解除し（ステップＳ１３１）、変数ｍ，ｎを設定して、それぞれｍ＝１，ｎ＝１と初期化する（ステップＳ１３３，ステップＳ１３２）。
【０１７６】
ここで、パノラマ撮影開始フラグの解除は、まだ一連のパノラマ撮影が１枚も行われていないことを示している。
また、変数nは、各パノラマモードの撮影において何枚目の撮影領域であるかを示すものである。
【０１７７】
そして、変数ｍは、水平パノラマモード及び垂直パノラマモードでの撮影やり直しの際に、撮影領域を１枚前に戻したり、戻すのを取り止めたりするために使用している。
【０１７８】
これらのフラグや変数の使用方法の詳細については後述する。
【０１７９】
モードダイアル６０の設定位置がパノラマモード以外に設定された場合（ステップＳ１３４）、システム制御回路５０はパノラマモードによる撮影を終了し、ステップＳ１０２に戻る。これにより、画像処理装置１００の使用者は、パノラマモードを随時終了して他のモードに切り替えることが可能である。
【０１８０】
モードダイアル６０の設定位置がパノラマモードのままの状態で（ステップＳ１３４）、つまり、画像表示部２８の表示画面が前述した各パノラマ撮影画面の状態で、決定／実行スイッチ６８（例えば[SET]キー）を押すことによりパノラマモードの終了が選択されたならば（ステップＳ１３５）、パノラマモード終了確認の表示を行い、さらに終了確認が選択されたならば（ステップＳ１３６）、パノラマモード選択画面ステップＳ１１１に戻る。
【０１８１】
ズームスイッチＷＩＤＥ７４或いはズームスイッチＴＥＬＥ７６が押されたなれば（ステップＳ１６１）、システム制御回路５０はパノラマ撮影開始フラグの状態を判断する（ステップＳ１６２）。
【０１８２】
パノラマ撮影開始フラグが解除されていた場合、つまり、まだ一連のパノラマ撮影において１枚目の撮影実行前であれば（ステップＳ１６２）、システム制御回路５０はズームスイッチＷＩＤＥ７４或いはズームスイッチＴＥＬＥ７６の指示に従って、インタフェース１２０、コネクタ１２２、コネクタ３２２、インタフェース３２０、レンズシステム制御回路３５０、ズーム制御手段３４４を介して撮影レンズ３１０のズーミングを行う所定のズーム動作を実行し（ステップＳ１６３）、ステップＳ１３７に進む。
【０１８３】
パノラマ撮影開始フラグが設定されていた場合、つまり、一連のパノラマ撮影において１枚目の撮影実行後であれば（ステップＳ１６２）、システム制御回路５０は表示部５４及び或いは画像表示部２８を用いて画像や音声により所定の警告表示を行い（ステップＳ１６４）、ズーム動作を実行せずにステップＳ１３７に進む。
【０１８４】
これにより、一連のパノラマ撮影の途中で撮影レンズ３１０のズーム操作が行われてパノラマ合成に不適当な画像が撮影されることを防止することが出来る。
【０１８５】
画像表示部２８の表示画面が前述した各パノラマ撮影画面の状態で、選択／切換えスイッチ６６（例えば[＋]キー）が押されたならば（ステップＳ1３７）、システム制御回路５０はパノラマモードの設定に応じて所定の処理を行う（ステップＳ１３８）。
【０１８６】
選択/切換えスイッチ６６（例えば[＋]キー）が押されなければ（ステップＳ１３７）、ステップＳ１４６に進む。
【０１８７】
まず、２×２パノラマモードであったならば（ステップＳ１３８）、システム制御回路５０は、変数ｎをｎ＝ｎ＋１として次の撮影領域に移動する（ステップＳ１３９）。ここで、ｎ＝５だったならば（ステップＳ１４０）、ｎ＝ｎ−４として最初の撮影領域に戻る（ステップＳ１４１）。この後、ステップＳ１４６に進む。
【０１８８】
つまり、選択／切換えスイッチ６６（例えば[＋]キー）が押される度に、２×２パノラマモードの４個所の撮影領域を繰り返し移動することになる。例えば、右上、右下、左下、左上、右上、右下．．．と撮影領域が順次移動していく。
【０１８９】
一方、水平パノラマモード或いは垂直パノラマモードであったならば（ステップＳ１３８）、パノラマ撮影開始フラグが解除されていた場合、つまり、まだ一連のパノラマ撮影において１枚目の撮影実行前であれば（ステップＳ１４２）、システム制御回路５０はそれぞれのパノラマモードの撮影方向を反転する（ステップＳ１４３）。この後、ステップＳ１４６に進む。
なお、撮影方向の反転は、１枚目の撮影を行うまで、繰り返し行うことが出来る。
【０１９０】
ここで、水平パノラマモードでの撮影方向反転画面の一例を図１０に示す。
【０１９１】
図１０において、（ａ）は右方向に撮影を繰り返す画面、（ｂ）は左方向に撮影を繰り返す画面である。
【０１９２】
また、垂直パノラマモードでの撮影方向反転画面の一例を図１１に示す。
【０１９３】
図１１において、（ａ）は上方向に撮影を繰り返す画面、（ｂ）は下方向に撮影を繰り返す画面である。
【０１９４】
次に、水平パノラマモード或いは垂直パノラマモードであって（ステップＳ１３８）、パノラマ撮影開始フラグが設定されていた場合、つまり、一連のパノラマ撮影において１枚目の撮影実行後であれば（ステップＳ１４２）、システム制御回路５０は、ｍ＝ｍ×（−１）として、−１、＋１、−１、＋１．．．と一回毎に符号が反転する演算を行った後（ステップＳ１４４）、変数ｎに対してｎ＝ｎ＋ｍとして、一回毎にｎ＝ｎ−１、ｎ＝ｎ＋１、ｎ＝ｎ−１、ｎ＝ｎ＋１．．．となる演算を行う（ステップＳ１４５）。この後、ステップＳ１４６に進む。
【０１９５】
これにより、撮影をやり直すために、最後に撮影した１回分のみではあるが撮影済みの領域に移動すること、及び、撮影済みの領域に移動することを取り止めることを繰り返し選択することが出来る。
【０１９６】
これにより、ｎ番目の画像領域のパノラマ撮影の後に、選択／切換えスイッチ６６（例えば[＋]キー）を押してｎ−１番目の画像領域のクイックレビュー画像とｎ番目の画像領域のクイックレビュー画像との境界領域の繋がり具合を確認した後、一旦選択／切換えスイッチ６６（例えば[＋]キー）を放してｎ番目の画像領域をスルー画像としてから、もう一度選択／切換えスイッチ６６（例えば[＋]キー）を押して、元のｎ番目の画像領域のクイックレビュー画像とｎ＋１番目の画像領域のスルー画像を表示して、次のパノラマ撮影を行うことが出来る。
【０１９７】
また、ｎ番目の画像領域のパノラマ撮影の後に、選択／切換えスイッチ６６（例えば[＋]キー）を押してｎ−１番目の画像領域のクイックレビュー画像とｎ番目の画像領域のクイックレビュー画像との境界領域の繋がり具合を確認した際に、撮影やり直しを決断した場合は、一旦選択／切換えスイッチ６６（例えば[＋]キー）を放してｎ番目の画像領域をスルー画像として、この画面状態でシャッタースイッチＳＷ２を押すことにより、新たな撮影画像と取り替えてから、さらに次のパノラマ撮影を行うことが出来る。
【０１９８】
システム制御回路５０は、ｎ番目の画像領域を選択し（ステップＳ１４６）、選択した画像領域に応じて画面レイアウトを変更する必要があれば（ステップＳ１４７）、画面レイアウトを切り替えて表示する（ステップＳ１４８）。この後、ステップＳ１７１に進む。
これにより、前述したような、撮影方向の反転に対応した画面、或いは、撮影領域の変更に対応した画面、説明のための文字や画像を更新した画面、等を必要に応じて表示することが出来る。
【０１９９】
また、２枚目以降の撮影においては、既に撮影した撮影領域をクイックレビュー表示状態のままに設定すると共に、次の撮影のために移動した今度の撮影領域をスルー表示状態に設定することにより、既に撮影した画像の再生画像と次に撮影する画像とを一部重ねて表示することが可能となる。これにより、画像処理装置１００の使用者は、容易に次の撮影構図を決定することが出来る。
システム制御回路５０は、撮像した画像データを逐次表示するスルー表示状態に設定して（ステップＳ１７１）、ステップＳ１７２に進む。
スルー表示状態に於いては、撮像素子１４、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８の前述した撮影領域に逐次表示することにより、電子ファインダー機能を実現している。
【０２００】
シャッタースイッチＳＷ１が押されていないならば（ステップＳ１７２）、ステップＳ１３４に戻る。
【０２０１】
シャッタースイッチＳＷ１が押されたならば（ステップＳ１７２）、システム制御回路５０は画像表示部２８の表示状態をフリーズ表示状態に設定して（ステップＳ１７３）、ステップＳ１７４に進む。
【０２０２】
フリーズ表示状態に於いては、撮像素子１４、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８の前述した撮影領域に表示することにより、フリーズした映像を電子ファインダーに表示している。
【０２０３】
システム制御回路５０は、測距処理を行って撮影レンズ１０の焦点を被写体に合わせ、測光処理を行って絞り値及びシャッター時間を決定する（ステップＳ１７４）。測光処理に於いて、必要であればフラッシュの設定も行う。
【０２０４】
この測距・測光処理ステップＳ１７４の詳細は図５を用いて後述する。
【０２０５】
測距・測光処理ステップＳ１７４を終えたならば、システム制御回路５０は画像表示部２８の表示状態をスルー表示状態に設定して（ステップＳ１７５）、ステップＳ１７６に進む。なお、ステップＳ１７５でのスルー表示状態は、ステップＳ１７１でのスルー状態と同じ動作状態である。
【０２０６】
シャッタースイッチＳＷ２が押されずに（ステップＳ１７６）、さらにシャッタースイッチＳＷ１も解除されたならば（ステップＳ１７７）、ステップＳ１３４に戻る。
【０２０７】
シャッタースイッチＳＷ２が押されたならば（ステップＳ１７６）、システム制御回路５０は画像表示部２８の表示状態を固定色表示状態に設定して（ステップＳ１７８）、ステップＳ１７９に進む。
【０２０８】
固定色表示状態に於いては、撮像素子１４、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８の前述した撮影領域に表示することにより、固定色の映像を電子ファインダーに表示している。
【０２０９】
システム制御回路５０は、撮像素子１４、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（ステップＳ１７９）。
【０２１０】
この撮影処理ステップＳ１７９の詳細は図６を用いて後述する。
【０２１１】
システム制御回路５０は、撮影処理のステップＳ１７９によってメモリ３０に書き込まれた画像データを読み出して、メモリ制御回路２２を介して画像表示メモリ２４に転送する表示画像処理を実行する（ステップＳ１８０）。
【０２１２】
この表示画像処理ステップＳ１８０の詳細は図７を用いて後述する。
【０２１３】
システム制御回路５０は、画像表示部２８の表示状態をクイックレビュー表示状態に設定して（ステップＳ１８１）、ステップＳ１８２に進む。
【０２１４】
クイックレビュー状態に於いては、表示画像処理ステップＳ１８０によって画像表示メモリ２４に転送された画像データを、メモリ制御回路２２、Ｄ／Ａ変換器２６を介して画像表示部２８の前述した撮影領域に表示することにより、撮影画像の自動再生を行う電子ファインダー機能を実現している。
【０２１５】
システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行う圧縮処理を行った後（ステップＳ１８２）、インタフェース９０或いは９４、コネクタ９２或いは９６を介して、メモリカードやコンパクトフラッシュカード等の記録媒体２００或いは２１０へ画像データの書き込みを行う記録処理を実行する（ステップＳ１８３）。
【０２１６】
この圧縮処理ステップＳ１８２の詳細は図８を用いて後述する。
【０２１７】
なお、画像表示部２８がＯＮの場合は、記録媒体２００或いは２１０へ画像データの書き込みを行っている間、書き込み動作中であることを明示する例えば「BUSY」のような表示を画像表示部２８に対して行う。
【０２１８】
さらに、表示部５４において例えばＬＥＤを点滅させる等の記録媒体書き込み動作表示も併せて行う。
【０２１９】
システム制御回路５０はシャッタースイッチＳＷ２が放されるまで（ステップＳ１８４）、画像表示部２８におけるクイックレビュー表示を継続する。これにより、使用者はシャッタースイッチＳＷ２を押している間、撮影画像の確認を入念に行うことが出来る。
【０２２０】
シャッタースイッチＳＷ２が放されたならば（ステップＳ１８４）、システム制御回路５０は、パノラマ撮影開始フラグを設定して（ステップＳ１８５）、一連のパノラマ撮影において１枚目の撮影が実行済みであることを明らかにする。これにより、ステップＳ１４２で説明したように、１枚目の水平パノラマモード或いは垂直パノラマモードの撮影実行後に撮影方向を反転することを禁止することが可能となる。
【０２２１】
システム制御回路５０は、次の撮影領域に移動するために、変数ｎをｎ＝ｎ＋１とし（ステップＳ１８６）、変数ｍをｍ＝１として初期化した後（ステップＳ１８７）、ステップＳ１３４に戻り、一連のパノラマ撮影処理を繰り返す。
【０２２２】
このように、シャッタースイッチＳＷ２を放すことにより、処理がステップＳ１３４に戻った後、ステップＳ１４６において次の撮影領域に移動し、ステップＳ１４８において、前回を含む撮影済みの撮影領域をクイックレビュー表示状態に、次の撮影領域をスルー表示状態にそれぞれ設定して、撮影済みの画像とこれから撮影する画像とをオーバーラップさせて表示することにより、パノラマ撮影の繋ぎ取りを使用者が容易に行えるようにすることが出来る。
【０２２３】
ここで、水平パノラマモードでのｎ枚目の撮影終了前後の撮影画面の一例を図１４に示す。
【０２２４】
図１４において、（ａ）は１枚目の撮影前の状態での撮影画面、（ｂ）は１枚目の撮影後にシャッタースイッチＳＷ２を放した状態での撮影画面である。なお、説明図としては準備していないが、１枚目の撮影後にシャッタースイッチＳＷ２を放すまでは（ａ）の１枚目の撮影領域がクイックレビュー表示となった撮影画面となる。
【０２２５】
また、垂直パノラマモードでのｎ枚目の撮影終了前後の撮影画面の一例を図１５に示す。
【０２２６】
図１５において、（ａ）は１枚目の撮影前の状態での撮影画面、（ｂ）は１枚目の撮影後にシャッタースイッチＳＷ２を放した状態での撮影画面である。なお、説明図としては準備していないが、１枚目の撮影後にシャッタースイッチＳＷ２を放すまでは（ａ）の１枚目の撮影領域がクイックレビュー表示となった撮影画面となる。
【０２２７】
さらに、２×２パノラマモードでのｎ枚目の撮影終了前後の撮影画面の一例を図１２及び図１３に示す。
【０２２８】
図１２において、（ａ）は１枚目の撮影前の状態での撮影画面、（ｂ）は１枚目の撮影後にシャッタースイッチＳＷ２を放した状態、つまり、２枚目の撮影前の状態での撮影画面である。
【０２２９】
そして、 図１３において、（ｃ）は２枚目の撮影後にシャッタースイッチＳＷ２を放した状態、つまり、３枚目の撮影前の状態での撮影画面、（ｄ）は３枚目の撮影後にシャッタースイッチＳＷ２を放した状態、つまり、４枚目の撮影前の状態での撮影画面である。
【０２３０】
なお、説明図としては準備していないが、ｎ枚目の撮影後にシャッタースイッチＳＷ２を放すまでは、それぞれ（ａ），（ｂ），（ｃ），（ｄ）のｎ枚目の撮影領域がクイックレビュー表示となった撮影画面となる。シャッタースイッチＳＷ２を放すと次の撮影領域であるｎ＋１枚目の撮影領域のスルー表示が追加されることになる。
【０２３１】
以上説明した様に、第１の実施形態によれば、一連のパノラマ撮影の開始後はズーム操作を禁止すると共に所定の警告をすることにより、一連のパノラマ撮影の途中で撮影レンズ３１０のズーム操作を行ってパノラマ合成に不適当な画像を撮影してしまうという問題を防止することが出来る。
【０２３２】
図５は、図４のステップＳ１７４における測距・測光処理の詳細なフローチャートである。
【０２３３】
システム制御回路５０は、撮像素子１４から電荷信号を読み出し、Ａ／Ｄ変換器１６を介して画像処理回路２０に撮影画像データを逐次読み込む（ステップＳ２０１）。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【０２３４】
なお、ここでの各処理は、撮影した全画素数のうちの必要に応じた特定の部分を必要個所分切り取って抽出し、演算に用いている。これにより、 ＴＴＬ方式のＡＥ、ＥＦ、ＡＷＢ、ＡＦの各処理において、中央重点モード、平均モード、評価モード等の異なるモード毎に最適な演算を行うことが可能となる。
【０２３５】
画像処理回路２０での演算結果を用いて、システム制御回路５０は露出（ＡＥ）が適正と判断されるまで（ステップＳ２０２）、露光制御手段４０を用いてＡＥ制御を行う（ステップＳ２０３）。
【０２３６】
ＡＥ制御で得られた測定データを用いて、システム制御回路５０はフラッシュが必要か否かを判断し（ステップＳ２０４）、フラッシュが必要ならばフラッシュフラグをセットし、フラッシュ４８を充電する（ステップＳ２０５）。
【０２３７】
露出（ＡＥ）が適正と判断したならば（ステップＳ２０２）、測定データ及び／又は設定パラメータをシステム制御回路５０の内部メモリ或いはメモリ５２に記憶する。
【０２３８】
画像処理回路２０での演算結果及びＡＥ制御で得られた測定データを用いて、システム制御回路５０はホワイトバランス（ＡＷＢ）が適正と判断されるまで（ステップＳ２０６）、画像処理回路２０を用いて色処理のパラメータを調節してＡＷＢ制御を行う（ステップＳ２０７）。
【０２３９】
ホワイトバランス（ＡＷＢ）が適正と判断したならば（ステップＳ２０６）、測定データ及び／又は設定パラメータをシステム制御回路５０の内部メモリ或いはメモリ５２に記憶する。
【０２４０】
ＡＥ制御及びＡＷＢ制御で得られた測定データを用いて、システム制御回路５０は測距（ＡＦ）が合焦と判断されるまで（ステップＳ２０８）、測距制御手段４２を用いてＡＦ制御を行う（ステップＳ２０９）。
【０２４１】
測距（ＡＦ）が合焦と判断されたならば（ステップＳ２０８）、測定データ及び／又は設定パラメータをシステム制御回路５０の内部メモリ或いはメモリ５２に記憶し、測距・測光処理ルーチンステップＳ１７４を終了する。
【０２４２】
図６は、図４のステップＳ１７９における撮影処理の詳細なフローチャートである。
【０２４３】
システム制御回路５０は、システム制御回路５０の内部メモリ或いはメモリ５２に記憶される測光データに従い、露光制御手段４０によって、絞り機能を有するシャッター１２を絞り値に応じて開放して撮像素子１０を露光する（ステップＳ３０１、ステップＳ３０２）。
【０２４４】
フラッシュ・フラグによりフラッシュ４８が必要か否かを判断し（ステップＳ３０３）、必要な場合はフラッシュを発光させる（ステップＳ３０４）。
【０２４５】
システム制御回路５０は、測光データに従って撮像素子１４の露光終了を待ち（ステップＳ３０５）、シャッター１２を閉じて（ステップＳ３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（ステップＳ３０７）。
【０２４６】
一連の処理を終えたならば、撮影処理ルーチンステップＳ１７９を終了する。
【０２４７】
図７は、図４のステップＳ１８０における表示画像処理の詳細なフローチャートである。
【０２４８】
システム制御回路５０は、設定された撮影モードに応じて、フレーム処理を行う必要があるならば（ステップＳ４０１）、メモリ制御回路２２そして必要に応じて画像処理回路２０を用いて、メモリ３０に書き込まれた画像データを読み出して垂直加算処理や（ステップＳ４０２）、色処理（ステップＳ４０３）を順次行った後、メモリ３０に処理を終えた画像データを書き込む。
【０２４９】
システム制御回路５０は、メモリ３０から画像データを読み出し、メモリ制御回路２２を介して画像表示メモリ２４に表示画像データの転送を行う（ステップＳ４０４）。
【０２５０】
一連の処理を終えたならば、表示画像処理ルーチンステップＳ１８０を終了する。
【０２５１】
図８は、図４のステップＳ１８２における圧縮処理の詳細なフローチャートである。
【０２５２】
システム制御回路５０は、メモリ制御回路２２そして必要に応じて画像処理回路２０を用いて、メモリ３０に書き込まれた撮影画像データを読み出して撮像素子の縦横画素比率を１：１に補間する画素正方化処理を行った後（ステップＳ５０１）、メモリ３０に処理を終えた画像データを書き込む。
【０２５３】
そして、メモリ３０に書き込まれた画像データを読み出して、設定したモードに応じた画像圧縮処理を圧縮・伸長回路３２により行う（Ｓ５０２）。
【０２５４】
画像圧縮処理が終わったならば、圧縮処理ルーチンステップＳ１８２を終了する。
（第２の実施形態）
図１６Ａ、図１６Ｂ、図１７Ａ、図１７Ｂ、図１８、図５、図６、図７及び図８を参照して、第２の実施形態の動作を説明する。第２の実施形態の外見的構成は、第１の実施形態と同様であり、その動作のみが異なる。また、図５、図６、図７及び図８は、第１の実施例と同様であるため、説明を省略する。
【０２５５】
図１６Ａ、図１６Ｂ、図１７Ａ、図１７Ｂ及び図１８を用いて、画像処理装置１００の動作を説明する。
【０２５６】
電池交換等の電源投入により、システム制御回路５０はフラグや制御変数等を初期化すると共に、画像処理装置１００各部の初期化処理を行う（ステップＳ６０１）。
【０２５７】
システム制御回路５０は、モードダイアル６０の設定位置を判断し、モードダイアル６０が電源ＯＦＦに設定されていたならば（ステップＳ６０２）、各表示部の表示を終了状態に変更し、レンズユニット３００が保護手段のバリア等を備えている場合はそれを閉じて撮像部を保護し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（ステップＳ６０３）、ステップＳ６０２に戻る。
【０２５８】
モードダイアル６０がその他のモードに設定されていたならば（ステップＳ６０２）、システム制御回路５０は、電源制御手段８０により電池等により構成される電源８６の残容量や動作情況が画像処理装置１００の動作に問題があるか否かを判断し（ステップＳ６０４）、問題があるならば表示部５４を用いて画像や音声により所定の警告表示を行った後に（ステップＳ６０６）、ステップＳ６０２に戻る。
【０２５９】
なお、画像表示部２８の画像表示がＯＮであったならば、画像表示部２８も用いて画像や音声により所定の警告表示を行う。
【０２６０】
電源８６に問題が無いならば（ステップＳ６０４）、記録媒体２００或いは２１０の動作状態が画像処理装置１００の動作、特に記録媒体に対する画像データの記録再生動作に問題があるか否かを判断し（ステップＳ６０５）、問題があるならば表示部５４を用いて画像や音声により所定の警告表示を行った後に（ステップＳ６０６）、ステップＳ６０２に戻る。
【０２６１】
なお、画像表示部２８の画像表示がＯＮであったならば、画像表示部２８も用いて画像や音声により所定の警告表示を行う。
【０２６２】
記録媒体２００或いは２１０の動作状態に問題が無いならば（ステップＳ６０５）、表示部５４を用いて画像や音声により画像処理装置１００の各種設定状態の表示を行う（ステップＳ６０７）。なお、画像表示部２８の画像表示がＯＮであったならば、画像表示部２８も用いて画像や音声により画像処理装置１００の各種設定状態の表示を行う。
【０２６３】
モードダイアル６０が撮影モードに設定されていたならば（ステップＳ６０８）、所定の撮影処理を実行し（ステップＳ６０９）、処理を終えたならばステップＳ６０２に戻る。
【０２６４】
モードダイアル６０がその他のモードに設定されていたならば（ステップＳ６０８）、システム制御回路５０は選択されたモードに応じた処理を実行し（ステップＳ６１０）、処理を終えたならばステップＳ６０２に戻る。
【０２６５】
モードダイアル６０がパノラマモードに設定されていたならば（ステップＳ６０８）、システム制御回路５０は撮像レンズ３１０のズーム位置が所定のホームポジションであるか否かを判断し（ステップＳ６２１）、ホームポジションに位置していなかった場合はズーム位置をホームポジションに移動する（ステップＳ６２２）。
【０２６６】
なお、撮影レンズ３１０が焦点距離を複数種類に切り替え可能な切り替えレンズであった場合も同様に、システム制御回路５０は撮像レンズ３１０の切り替えレンズの設定が所定のホームポジション側であるか否かを判断し（ステップＳ６２１）、ホームポジション側に位置していなかった場合は切り替えレンズの設定をホームポジション側に移動する（ステップＳ６２２）。
【０２６７】
また、ホームポジションの例としては、ズームレンズであれば、パノラマ撮影に適した広角側の焦点距離であるＷＩＤＥ端が一例としてあげられる。
【０２６８】
そして、焦点距離切り替えレンズであれば、パノラマ撮影に適した広角側の焦点距離であるＷＩＤＥ側の焦点距離を備えるレンズへの切り替えが一例としてあげられる。
【０２６９】
この例に限らず、パノラマ撮影に適した焦点距離に設定するのであれば、何れの焦点距離をホームポジションとしても良い。
システム制御回路５０は、画像表示部２８にパノラマモード選択画面を表示する（ステップＳ６１１）。
【０２７０】
画像処理装置１００の使用者は、画像表示部２８に表示されたパノラマモード選択画面を見て、複数のパノラマ撮影モードから任意のモードを選択することが出来る。
【０２７１】
パノラマ撮影モードには、２×２パノラマモード、水平パノラマモード、垂直パノラマモード等があり、複数の撮影を重ねることにより、２次元的に拡大したパノラマ画像や、水平方向に拡大したパノラマ画像、垂直方向に拡大したパノラマ画像を作成することが出来る。
【０２７２】
撮影した一連の各画像は、その位置関係を示す情報が付加されており、画像処理装置自身で、或いは、コンピュータ等に画像を転送した後に、各画像を結合して１枚のパノラマ画像を作成することが可能である。
【０２７３】
なお、パノラマモード選択画面の一例を図９に示す。
【０２７４】
図９において、左は２次元的なパノラマ画像を撮影するための２×２パノラマモードを選択するアイコン、中央は水平パノラマ画像を撮影するための水平パノラマモードを選択するアイコン、右は垂直パノラマ画像を撮影するための垂直パノラマモードを選択するアイコンである。
【０２７５】
画像処理装置１００の使用者は、選択／切換えスイッチ６６（例えば[＋]キー）により撮影するパノラマモードを選択し、決定／実行スイッチ６８（例えば[SET]キー）によりパノラマモードを決定することが出来る。
選択／切換えスイッチ６６及び決定／実行スイッチ６８によりパノラマモードが選択されたならば、システム制御回路５０は、選択されたパノラマモードに応じて（ステップＳ６1２）、２×２パノラマモード初期設定（ステップＳ６1３）、垂直パノラマモード初期設定（ステップＳ６1４）、水平パノラマモード初期設定（ステップＳ６1５）において、フラグやパラメータ、変数の初期値、メモリ領域の設定や、ユーザーインターフェースとしての表示画面の読み出し等、をそれぞれ行い、各モードに応じたパノラマ撮影画面を画像表示部２８に表示して（ステップＳ６1６）、ステップＳ６３１に進む。
【０２７６】
なお、水平パノラマモード撮影画面の一例を図１０に、垂直パノラマモード撮影画面の一例を図１１に、２×２パノラマ撮影画面の一例を図１２に、それぞれ示す。
【０２７７】
図１０において、（ａ）は右方向に連続して撮影を繰り返し、パノラマ画面を作成する撮影画面、（ｂ）は左方向に連続して撮影を繰り返し、パノラマ画面を作成する撮影画面である。
【０２７８】
図中、一連のパノラマ画像の１枚目の撮影用に、電子ファインダによるスルー画像が「１」の領域に表示され、また、１枚目の撮影完了前であれば、選択／切換えスイッチ６６（例えば[＋]キー）により、右方向撮影（ａ）と左方向撮影（ｂ）を随時切り替えることが出来る。
【０２７９】
撮影方向の決定は、希望する（ａ）或いは（ｂ）何れかの表示画面状態で、シャッターボタンを押して１枚目の撮影を実行することで行われる。
【０２８０】
なお、決定／実行スイッチ６８（例えば[SET]キー）を押すことにより、水平パノラマモードでの撮影を終了することが出来る。
【０２８１】
また、図１１において、（ａ）は上方向に連続して撮影を繰り返し、パノラマ画面を作成する撮影画面、（ｂ）は下方向に連続して撮影を繰り返し、パノラマ画面を作成する撮影画面である。
【０２８２】
図中、一連のパノラマ画像の１枚目の撮影用に、電子ファインダによるスルー画像が「１」の領域に表示され、また、１枚目の撮影完了前であれば、選択／切換えスイッチ６６（例えば[＋]キー）により、上方向撮影（ａ）と下方向撮影（ｂ）を随時切り替えることが出来る。
【０２８３】
撮影方向の決定は、希望する（ａ）或いは（ｂ）何れかの表示画面状態で、シャッターボタンを押して１枚目の撮影を実行することで行われる。
【０２８４】
なお、決定／実行スイッチ６８（例えば[SET]キー）を押すことにより、垂直パノラマモードでの撮影を終了することが出来る。
【０２８５】
また、図１２において、（ａ）は２次元的に縦横計４枚の撮影を繰り返し、２×２のパノラマ画面を作成する撮影画面の１枚目の撮影用画面である。同じく、（ｂ）は２枚目の撮影用画面である。
【０２８６】
図中、パノラマ画像の１枚目の撮影用に、電子ファインダによるスルー画像が例えば右上の領域に表示される。
【０２８７】
１枚目の撮影を終えたならば、撮影した画像の再生画像を例えば右上の領域に表示し、２枚目の撮影用に、電子ファインダによるスルー画像が例えば右下の領域に表示される。
【０２８８】
電子ファインダーによる撮影領域は、撮影の度に次の領域へと順次送られるが、任意の領域から撮影を開始することが可能であり、また、撮影済みの領域に戻って撮影をやり直すことも可能である。このため、選択／切換えスイッチ６６（例えば[＋]キー）により、随時、撮影領域を移動することが出来る。
【０２８９】
やり直し撮影領域の決定及び撮影実行は、希望する領域を選択した表示画面状態で、シャッターボタンを押して撮影を実行することで行われる。
【０２９０】
なお、決定／実行スイッチ６８（例えば[SET]キー）を押すことにより、２×２パノラマモードでの撮影を終了することが出来る。
【０２９１】
システム制御回路５０は、システム制御回路５０の内部メモリ或いはメモリ５２に設定したフラグや変数を初期化する。例えば、パノラマ撮影開始フラグを解除し（ステップＳ６３１）、変数ｍ，ｎを設定して、それぞれｍ＝１，ｎ＝１と初期化する（ステップＳ６３３、ステップＳ６３２）。
【０２９２】
ここで、パノラマ撮影開始フラグの解除は、まだ一連のパノラマ撮影が１枚も行われていないことを示している。
【０２９３】
また、変数ｎは、各パノラマモードの撮影において何枚目の撮影領域であるかを示すものである。
【０２９４】
そして、変数ｍは、水平パノラマモード及び垂直パノラマモードでの撮影やり直しの際に、撮影領域を１枚前に戻したり、戻すのを取り止めたりするために使用している。
【０２９５】
これらのフラグや変数の使用方法詳細については後述する。
【０２９６】
モードダイアル６０の設定位置がパノラマモード以外に設定された場合（ステップＳ６３４）、システム制御回路５０はパノラマモードによる撮影を終了し、ステップＳ６０２に戻る。これにより、画像処理装置１００の使用者は、パノラマモードを随時終了して他のモードに切り替えることが可能である。
【０２９７】
モードダイアル６０の設定位置がパノラマモードのままの状態で（ステップＳ６３４）、つまり、画像表示部２８の表示画面が前述した各パノラマ撮影画面の状態で、決定/実行スイッチ６８（例えば[SET]キー）を押すことによりパノラマモードの終了が選択されたならば（ステップＳ６３５）、パノラマモード終了確認の表示を行い、さらに終了確認が選択されたならば（ステップＳ６３６）、パノラマモード選択画面ステップＳ６１１に戻る。
【０２９８】
ズームスイッチＷＩＤＥ７４或いはズームスイッチＴＥＬＥ７６が押されたなれば（ステップＳ６６１）、システム制御回路５０はパノラマ撮影開始フラグの状態を判断する（ステップＳ６６２）。
【０２９９】
パノラマ撮影開始フラグが解除されていた場合、つまり、まだ一連のパノラマ撮影において１枚目の撮影実行前であれば（ステップＳ６６２）、システム制御回路５０はズームスイッチＷＩＤＥ７４或いはズームスイッチＴＥＬＥ７６の指示に従って、インタフェース１２０、コネクタ１２２、コネクタ３２２、インタフェース３２０、レンズシステム制御回路３５０、ズーム制御手段３４４を介して撮影レンズ３１０のズーミングを行う所定のズーム動作を実行し（ステップＳ６６３）、ステップＳ６３７に進む。
【０３００】
パノラマ撮影開始フラグが設定されていた場合、つまり、一連のパノラマ撮影において１枚目の撮影実行後であれば（ステップＳ６６２）、システム制御回路５０は表示部５４及び／又は画像表示部２８を用いて画像や音声により所定の警告表示を行い（ステップＳ６６４）、さらに一連のパノラマ撮影終了の確認が選択されたならば（ステップＳ６６５）、一旦これまでの一連のパノラマ撮影を終えて、ステップＳ６３１に戻って新たな一連のパノラマ撮影を開始する。
【０３０１】
一連のパノラマ撮影終了の取り消しが選択されたならば（ステップＳ６６５）、ズーム動作を実行せずにステップＳ６３７に進む。
【０３０２】
これにより、一連のパノラマ撮影の途中で撮影レンズ３１０のズーム操作が行われてパノラマ合成に不適当な画像が撮影されることを防止することが出来る。
【０３０３】
画像表示部２８の表示画面が前述した各パノラマ撮影画面の状態で、選択／切換えスイッチ６６（例えば[＋]キー）が押されたならば（ステップＳ６３７）、システム制御回路５０はパノラマモードの設定に応じて所定の処理を行う（ステップＳ６３８）。
【０３０４】
選択／切換えスイッチ６６（例えば[＋]キー）が押されなければ（ステップＳ６３７）、ステップＳ６４６に進む。
【０３０５】
まず、２×２パノラマモードであったならば（ステップＳ６３８）、システム制御回路５０は、変数ｎをｎ＝ｎ＋１として次の撮影領域に移動する（ステップＳ６３９）。ここで、ｎ＝５だったならば（ステップＳ６４０）、ｎ＝ｎ−４として最初の撮影領域に戻る（ステップＳ６４１）。この後、ステップＳ６４６に進む。
【０３０６】
つまり、選択/切換えスイッチ６６（例えば[＋]キー）が押される度に、２×２パノラマモードの４個所の撮影領域を繰り返し移動することになる。例えば、右上、右下、左下、左上、右上、右下．．．と撮影領域が順次移動していく。
【０３０７】
一方、水平パノラマモード或いは垂直パノラマモードであったならば（ステップＳ６３８）、パノラマ撮影開始フラグが解除されていた場合、つまり、まだ一連のパノラマ撮影において１枚目の撮影実行前であれば（ステップＳ６４２）、システム制御回路５０はそれぞれのパノラマモードの撮影方向を反転する（ステップＳ６４３）。この後、ステップＳ６４６に進む。
【０３０８】
なお、撮影方向の反転は、１枚目の撮影を行うまで、繰り返し行うことが出来る。
【０３０９】
ここで、水平パノラマモードでの撮影方向反転画面の一例を図１０に示す。
【０３１０】
図１０において、（ａ）は右方向に撮影を繰り返す画面、（ｂ）は左方向に撮影を繰り返す画面である。
【０３１１】
また、垂直パノラマモードでの撮影方向反転画面の一例を図１１に示す。
【０３１２】
図１１において、（ａ）は上方向に撮影を繰り返す画面、（ｂ）は下方向に撮影を繰り返す画面である。
【０３１３】
次に、水平パノラマモード或いは垂直パノラマモードであって（ステップＳ６３８）、パノラマ撮影開始フラグが設定されていた場合、つまり、一連のパノラマ撮影において１枚目の撮影実行後であれば（ステップＳ６４２）、システム制御回路５０は、ｍ＝ｍ×（−１）として、−１，＋１，−１，＋１．．．と一回毎に符号が反転する演算を行った後（ステップＳ６４４）、変数ｎに対してｎ＝ｎ＋ｍとして、一回毎にｎ＝ｎ−１，ｎ＝ｎ＋１，ｎ＝ｎ−１，ｎ＝ｎ＋１．．．となる演算を行う（ステップＳ６４５）。この後、ステップＳ６４６に進む。
【０３１４】
これにより、撮影をやり直すために、最後に撮影した1回分のみではあるが撮影済みの領域に移動すること、及び、撮影済みの領域に移動することを取り止めることを繰り返し選択することが出来る。
【０３１５】
これにより、ｎ番目の画像領域のパノラマ撮影の後に、選択/切換えスイッチ６６（例えば[＋]キー）を押してｎ−１番目の画像領域のクイックレビュー画像とｎ番目の画像領域のクイックレビュー画像との境界領域の繋がり具合を確認した後、一旦選択／切換えスイッチ６６（例えば[＋]キー）を放してｎ番目の画像領域をスルー画像としてから、もう一度選択／切換えスイッチ６６（例えば[＋]キー）を押して、元のｎ番目の画像領域のクイックレビュー画像とｎ＋１番目の画像領域のスルー画像を表示して、次のパノラマ撮影を行うことが出来る。
【０３１６】
また、ｎ番目の画像領域のパノラマ撮影の後に、選択／切換えスイッチ６６（例えば[＋]キー）を押してｎ−１番目の画像領域のクイックレビュー画像とｎ番目の画像領域のクイックレビュー画像との境界領域の繋がり具合を確認した際に、撮影やり直しを決断した場合は、一旦選択／切換えスイッチ６６（例えば[＋]キー）を放してｎ番目の画像領域をスルー画像として、この画面状態でシャッタースイッチＳＷ２を押すことにより、新たな撮影画像と取り替えてから、さらに次のパノラマ撮影を行うことが出来る。
【０３１７】
システム制御回路５０は、ｎ番目の画像領域を選択し（ステップＳ６４６）、選択した画像領域に応じて画面レイアウトを変更する必要があれば（ステップＳ６４７）、画面レイアウトを切り替えて表示する（ステップＳ６４８）。この後、ステップＳ６７１に進む。
【０３１８】
これにより、前述したような、撮影方向の反転に対応した画面、或いは、撮影領域の変更に対応した画面、説明のための文字や画像を更新した画面、等を必要に応じて表示することが出来る。
【０３１９】
また、２枚目以降の撮影においては、既に撮影した撮影領域をクイックレビュー表示状態のままに設定すると共に、次の撮影のために移動した今度の撮影領域をスルー表示状態に設定することにより、既に撮影した画像の再生画像と次に撮影する画像とを一部重ねて表示することが可能となる。これにより、画像処理装置１００の使用者は、容易に次の撮影構図を決定することが出来る。
【０３２０】
システム制御回路５０は、撮像した画像データを逐次表示するスルー表示状態に設定して（ステップＳ６７１）、ステップＳ６７２に進む。
【０３２１】
スルー表示状態に於いては、撮像素子１４、Ａ／Ｄ変換器１６、画像処理回路２０、メモリ制御回路２２を介して、画像表示メモリ２４に逐次書き込まれたデータを、メモリ制御回路２２、Ｄ／Ａ変換器２６を介して画像表示部２８の前述した撮影領域に逐次表示することにより、電子ファインダー機能を実現している。
【０３２２】
シャッタースイッチＳＷ１が押されていないならば（ステップＳ６７２）、ステップＳ６３４に戻る。
【０３２３】
シャッタースイッチＳＷ１が押されたならば（ステップＳ６７２）、システム制御回路５０は画像表示部２８の表示状態をフリーズ表示状態に設定して（ステップＳ６７３）、ステップＳ６７４に進む。
【０３２４】
フリーズ表示状態に於いては、撮像素子１４、Ａ／Ｄ変換器１６、画像処理回路２０、メモリ制御回路２２を介した画像表示メモリ２４の画像データ書き換えを禁止し、最後に書き込まれた画像データを、メモリ制御回路２２、Ｄ／Ａ変換器２６を介して画像表示部２８の前述した撮影領域に表示することにより、フリーズした映像を電子ファインダーに表示している。
【０３２５】
システム制御回路５０は、測距処理を行って撮影レンズ１０の焦点を被写体に合わせ、測光処理を行って絞り値及びシャッター時間を決定する（ステップＳ６７４）。測光処理に於いて、必要であればフラッシュの設定も行う。
【０３２６】
この測距・測光処理ステップＳ６７４の詳細は図５を用いて前述した通りである。
【０３２７】
測距・測光処理ステップＳ６７４を終えたならば、システム制御回路５０は画像表示部２８の表示状態をスルー表示状態に設定して（ステップＳ６７５）、ステップＳ６７６に進む。なお、ステップＳ６７５でのスルー表示状態は、ステップＳ６７１でのスルー状態と同じ動作状態である。
【０３２８】
シャッタースイッチＳＷ２が押されずに（ステップＳ６７６）、さらにシャッタースイッチＳＷ１も解除されたならば（ステップＳ６７７）、ステップＳ６３４に戻る。
【０３２９】
シャッタースイッチＳＷ２が押されたならば（ステップＳ６７６）、システム制御回路５０は画像表示部２８の表示状態を固定色表示状態に設定して（ステップＳ６７８）、ステップＳ６７９に進む。
【０３３０】
固定色表示状態に於いては、撮像素子１４、Ａ／Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ／Ａ変換器２６を介して画像表示部２８の前述した撮影領域に表示することにより、固定色の映像を電子ファインダーに表示している。
【０３３１】
システム制御回路５０は、撮像素子１４、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（ステップＳ６７９）。
【０３３２】
この撮影処理ステップＳ６７９の詳細は図６を用いて前述した通りである。
【０３３３】
システム制御回路５０は、撮影処理ステップＳ６７９によってメモリ３０に書き込まれた画像データを読み出して、メモリ制御回路２２を介して画像表示メモリ２４に転送する表示画像処理を実行する（ステップＳ６８０）。
【０３３４】
この表示画像処理ステップＳ６８０の詳細は図７を用いて前述した通りである。
【０３３５】
システム制御回路５０は、画像表示部２８の表示状態をクイックレビュー表示状態に設定して（ステップＳ６８１）、ステップＳ６８２に進む。
【０３３６】
クイックレビュー状態に於いては、表示画像処理ステップＳ６８０によって画像表示メモリ２４に転送された画像データを、メモリ制御回路２２、Ｄ／Ａ変換器２６を介して画像表示部２８の前述した撮影領域に表示することにより、撮影画像の自動再生を行う電子ファインダー機能を実現している。
【０３３７】
システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行う圧縮処理を行った後（ステップＳ６８２）、インタフェース９０或いは９４、コネクタ９２或いは９６を介して、メモリカードやコンパクトフラッシュカード等の記録媒体２００或いは２１０へ画像データの書き込みを行う記録処理を実行する（ステップＳ６８３）。
【０３３８】
この圧縮処理ステップＳ６８２の詳細は図８を用いて前述した通りである。
【０３３９】
なお、画像表示部２８がＯＮの場合は、記録媒体２００或いは２１０へ画像データの書き込みを行っている間、書き込み動作中であることを明示する例えば「BUSY」のような表示を画像表示部２８に対して行う。
【０３４０】
さらに、表示部５４において例えばＬＥＤを点滅させる等の記録媒体書き込み動作表示も併せて行う。
【０３４１】
システム制御回路５０はシャッタースイッチＳＷ２が放されるまで（ステップＳ６８４）、画像表示部２８におけるクイックレビュー表示を継続する。これにより、使用者はシャッタースイッチＳＷ２を押している間、撮影画像の確認を入念に行うことが出来る。
【０３４２】
シャッタースイッチＳＷ２が放されたならば（ステップＳ６８４）、システム制御回路５０は、パノラマ撮影開始フラグを設定して（ステップＳ６８５）、一連のパノラマ撮影において１枚目の撮影が実行済みであることを明らかにする。これにより、ステップＳ６４２で説明したように、１枚目の水平パノラマモード或いは垂直パノラマモードの撮影実行後に撮影方向を反転することを禁止することが可能となる。
【０３４３】
システム制御回路５０は、次の撮影領域に移動するために、変数ｎをｎ＝ｎ＋１とし（ステップＳ６８６）、変数ｍをｍ＝１として初期化した後（ステップＳ６８７）、ステップＳ６３４に戻り、一連のパノラマ撮影処理を繰り返す。
【０３４４】
このように、シャッタースイッチＳＷ２を放すことにより、処理がステップＳ６３４に戻った後、ステップＳ６４６において次の撮影領域に移動し、ステップＳ６４８において、前回を含む撮影済みの撮影領域をクイックレビュー表示状態に、次の撮影領域をスルー表示状態にそれぞれ設定して、撮影済みの画像とこれから撮影する画像とをオーバーラップさせて表示することにより、パノラマ撮影の繋ぎ取りを使用者が容易に行えるようにすることが出来る。
ここで、水平パノラマモードでのｎ枚目の撮影終了前後の撮影画面の一例を図１４に示す。
【０３４５】
図１４において、（ａ）は１枚目の撮影前の状態での撮影画面、（ｂ）は1枚目の撮影後にシャッタースイッチＳＷ２を放した状態での撮影画面である。なお、説明図としては準備していないが、１枚目の撮影後にシャッタースイッチＳＷ２を放すまでは（ａ）の１枚目の撮影領域がクイックレビュー表示となった撮影画面となる。
【０３４６】
また、垂直パノラマモードでのｎ枚目の撮影終了前後の撮影画面の一例を図１５に示す。
図１５において、（ａ）は１枚目の撮影前の状態での撮影画面、（ｂ）は１枚目の撮影後にシャッタースイッチＳＷ２を放した状態での撮影画面である。なお、説明図としては準備していないが、１枚目の撮影後にシャッタースイッチＳＷ２を放すまでは（ａ）の１枚目の撮影領域がクイックレビュー表示となった撮影画面となる。
【０３４７】
さらに、２×２パノラマモードでのｎ枚目の撮影終了前後の撮影画面の一例を図１２及び図１３に示す。
【０３４８】
図１２において、（ａ）は１枚目の撮影前の状態での撮影画面、（ｂ）は１枚目の撮影後にシャッタースイッチＳＷ２を放した状態、つまり、２枚目の撮影前の状態での撮影画面である。
そして、 図１３において、（ｃ）は２枚目の撮影後にシャッタースイッチＳＷ２を放した状態、つまり、３枚目の撮影前の状態での撮影画面、（ｄ）は３枚目の撮影後にシャッタースイッチＳＷ２を放した状態、つまり、４枚目の撮影前の状態での撮影画面、である。
【０３４９】
なお、説明図としては準備していないが、ｎ枚目の撮影後にシャッタースイッチＳＷ２を放すまでは、それぞれ（ａ），（ｂ），（ｃ），（ｄ）のｎ枚目の撮影領域がクイックレビュー表示となった撮影画面となる。シャッタースイッチＳＷ２を放すと次の撮影領域であるｎ＋１枚目の撮影領域のスルー表示が追加されることになる。
【０３５０】
以上説明した様に、第２の実施形態によれば、一連のパノラマ撮影の開始後にズーム操作を行った場合は、所定の警告を行って画像処理装置１００の使用者に確認した後に、一連のパノラマ撮影を一旦打ち切ることにより、一連のパノラマ撮影の途中で撮影レンズ３１０のズーム操作を行ってパノラマ合成に不適当な画像を撮影してしまうという問題を防止することが出来る。
【０３５１】
以上、図１を用いて本発明の各実施形態の説明を行った。
【０３５２】
なお、実施形態の説明に於いては、撮像レンズ３１０がズームレンズであるとして説明したが、例えば広角レンズと望遠レンズを切り替えるような切り替えレンズの構成であっても勿論問題ない。この場合も実施形態の説明と同様に、パノラマ撮影開始フラグの状態に応じて、レンズ切り替え動作の実行を禁止すると共に所定の警告を行ったり、所定の警告を行って確認した後に一連のパノラマ撮影を終えて新たな一連のパノラマ撮影を開始したりすれば良い。
【０３５３】
また、第２の実施形態においては、ステップＳ６６５で一連のパノラマ撮影終了の確認が選択されたならばステップＳ６３１に戻って新たな一連のパノラマ撮影を開始するとして説明したが、ステップＳ６２１に戻ってパノラマモード選択画面から再度設定を行い、その後に新たな一連のパノラマ撮影を開始しても勿論問題ない。
【０３５４】
そして、パノラマモード選択画面で選択可能なパノラマモードを、２×２パノラマモード、水平パノラマモード、垂直パノラマモードの3種類として説明したが、これらに限らず、単数或いは複数種類の任意の数の異なるパノラマモードを選択可能としても、勿論問題ない。
【０３５５】
図９でのパノラマモード選択画面の表示も、この例に限らず、画像や音声を用いた任意の配置や方法による表示を行って構わない。
【０３５６】
また、２×２パノラマモード撮影画面での表示を２次元的に縦横計４枚として説明したが、これに限らず、縦横計９枚、縦横計１６枚等の、任意の数の２次元配置、更には3次元配置としても、勿論問題ない。
【０３５７】
また、水平パノラマモード撮影画面及び垂直パノラマモードでの表示を連続2枚として説明したが、これに限らず、３枚、４枚等の、任意の数の１次元配置としても、勿論問題ない。
【０３５８】
図１０、図１１、図１２、図１３、図１４及び図１５でのパノラマモード撮影画面の表示も、この例に限らず、画像や音声、文字、記号等を用いた任意の配置や方法による表示を行って構わない。
【０３５９】
また、水平パノラマモード及び垂直パノラマモードでの撮影方向の反転は、１枚目の撮影を終えた後は出来ないものとして説明したが、この例に限らず、随時撮影方向を反転出来るようにしても、勿論問題ない。右方向と左方向、上方向と下方向、或いは斜めを含む任意の方向へと随時撮影方向を変更するようにしても、勿論問題ない。画像表示部２８の表示面積を大きくして多数の画像表示領域を同時に表示可能な形態とすれば、右方向と左方向、上方向と下方向、或いは斜めを含む任意の方向へと随時撮影方向を変更することも可能である。
【０３６０】
また、水平パノラマモード及び垂直パノラマモードでの撮影やり直しは、１回前の撮影画像迄として説明したが、この例に限らず、任意の回数前の撮影画像に溯って撮影やり直しをするようにしても、勿論問題ない。
【０３６１】
また、次に撮影する画像表示領域をスルー表示とし、撮影済みの画像表示領域をクイックレビュー表示として、既に撮影した画像の再生画像と次に撮影する画像との境界領域を一部重ねて表示するとして説明したが、境界領域を重ねずに表示するようにしても良い。
【０３６２】
また、図１０、図１１、図１２、図１３、図１４、図１５の各パノラマモードの説明図においては、一例として、画像表示領域内に、「LIVE」、「FREEZE」という説明文字を付加したが、実際の画像表示部２８での表示には、これらの文字を表示する構成としても、表示しない構成としても、どちらでも問題ない。
【０３６３】
また、レンズユニット３００は画像処理装置１００と分離していて任意に接続可能なものとして説明したが、レンズユニット３００が画像処理装置１００と一体となった構成としても、勿論問題ない。
【０３６４】
さらに、画像処理装置１００に複数のレンズユニット３００が着脱可能な構成であっても勿論問題ない。
【０３６５】
また、記録媒体２００及び２１０は、ＰＣＭＣＩＡカードやコンパクトフラッシュ等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。
【０３６６】
また、記録媒体２００及び２１０がメモリカードとハードディスク等が一体となった複合媒体であっても勿論問題無い。さらに、その複合媒体から一部が着脱可能な構成としても勿論問題無い。
【０３６７】
また、実施形態の説明に於いては、記録媒体２００及び２１０は画像処理装置１００と分離していて任意に接続可能なものとして説明したが、いずれか或いは全ての記録媒体が画像処理装置１００に固定したままとなっていても勿論問題無い。全ての記録媒体が画像処理装置１００に固定したままとなっている場合は記録媒体の装着の有無に応じて警告の表示を行う状態にはならないが、全ての記録媒体が、故障や記録禁止の設定状態、記録空き領域が無い、等の理由から記録不可能な状態であったならば、上記の実施形態と同様の効果が得られるのは言うまでも無い。
【０３６８】
また、画像処理装置１００に記録媒体２００或いは２１０が、単数或いは複数の任意の個数接続可能な構成であっても構わない。
【０３６９】
また、画像処理装置１００に記録媒体２００及び２１０が装着される構成として説明したが、記録媒体は単数或いは複数の何れの組み合わせの構成であっても、勿論問題無い。
【０３７０】
また、上記の実施形態では、撮像レンズの変更可能な光学系の条件として、焦点距離の変更の場合について説明したが、これに限らず、光学系の条件としては、レンズの交換、絞りの変更、フォーカス位置の変更、シャッタースピードの変更等も含まれ、このような光学系の条件の変更に対しても、本発明は同様に適用可能である。
【０３７１】
また、複数の画像を関連付ける例としてパノラマ画像の合成について説明したが、画素ずらしを行いながら複数の画像を撮像し、これらの画像から高解像度の画像を合成する場合にも、本発明は適用可能である。
【０３７２】
【他の実施形態】
なお、本発明は、複数の機器（例えばホストコンピュータ，インタフェイス機器，リーダ，プリンタなど）から構成されるシステムに適用しても、一つの機器からなる装置（例えば、複写機，ファクシミリ装置など）に適用してもよい。
【０３７３】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【０３７４】
この場合、記憶媒体から読出されたプログラムコード自体が前述した実施形態の機能を実現することになり、そのプログラムコードを記憶した記憶媒体は本発明を構成することになる。
【０３７５】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【０３７６】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０３７７】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【０３７８】
【発明の効果】
以上説明したように、本発明によれば、パノラマ画像の撮影中に、電子カメラ等の画像処理装置の使用者が撮影レンズの焦点距離を切り替えたり、或いはズーミングを行ったりした場合、複数枚撮影した画像を組み合わせてパノラマ画像を作成する際に、焦点距離の違いを補正するために余分な補正演算を行う必要があり、画質が著しく低下することが多いという従来の問題点を解決することができる。
【０３７９】
また、撮影レンズの焦点距離を切り替えたり、或いはズーミングを行ったりしたために、それぞれ撮影した画像の構図が個々に著しく異なる場合、合成したパノラマ画像の外形が撮影した画像毎に大きく異なって段付きとなってしまうという従来の問題点を解決することができる。
【０３８０】
さらに、パノラマ撮影の途中で、撮影レンズの焦点距離切り替えがパノラマ撮影に不適当な側に切り替わっているのに気付いた場合、或いはズームレンズのズーム位置がパノラマ撮影に不適当な位置にあることに気付いた場合、パノラマ撮影のために複数枚の撮影を行っている途中であるにも関わらず、撮影レンズの焦点距離を切り替えたり、或いはズーミングを行ったりして前述の問題点を引き起こしてしまうことが起こり易いという従来の問題点を解決することができる。
【０３８１】
【図面の簡単な説明】
【図１】本発明の実施形態に係わる画像処理装置の構成を示すブロック図である。
【図２Ａ】画像処理装置の動作を示す主ルーチンのフローチャートである。
【図２Ｂ】画像処理装置の動作を示す主ルーチンのフローチャートである。
【図３Ａ】画像処理装置の動作を示す主ルーチンのフローチャートである。
【図３Ｂ】画像処理装置の動作を示す主ルーチンのフローチャートである。
【図４】画像処理装置の動作を示す主ルーチンのフローチャートである。
【図５】測距・測光処理ルーチンのフローチャートである。
【図６】撮影処理ルーチンのフローチャートである。
【図７】表示画像処理ルーチンのフローチャートである。
【図８】圧縮処理ルーチンのフローチャートである。
【図９】パノラマ撮影モード設定画面の説明図である。
【図１０】水平パノラマモード初期画面の説明図である。
【図１１】垂直パノラマモード初期画面の説明図である。
【図１２】２×２パノラマモード撮影画面の説明図である。
【図１３】２×２パノラマモード撮影画面の説明図である。
【図１４】水平パノラマモード撮影画面の説明図である。
【図１５】垂直パノラマモード撮影画面の説明図である。
【図１６Ａ】第２の実施形態の主ルーチンのフローチャートである。
【図１６Ｂ】第２の実施形態の主ルーチンのフローチャートである。
【図１７Ａ】第２の実施形態の主ルーチンのフローチャートである。
【図１７Ｂ】第２の実施形態の主ルーチンのフローチャートである。
【図１８】第２の実施形態の主ルーチンのフローチャートである。
【符号の説明】
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  選択/切替スイッチ
６８  決定/実行スイッチ
７０  操作部
７２  圧縮モードスイッチ
７４  ズームスイッチＷＩＤＥ
７６  ズームスイッチＴＥＬＥ
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０４  光学ファインダ
１０６  レンズマウント
１１０  通信手段
１１２  コネクタ（またはアンテナ）
１２０  インタフェース
１２２  コネクタ
１２４  レンズ着脱検知手段
１２６  レンズ着脱スイッチ
２００  記録媒体
２０２  記録部
２０４  インタフェース
２０６  コネクタ
２１０  記録媒体
２１２  記録部
２１４  インタフェース
２１６  コネクタ
３００  レンズユニット
３０６  レンズマウント
３１０  撮影レンズ
３１２  シャッター
３２０  インタフェース
３２２  コネクタ
３４０  露光制御手段
３４２  測距制御手段
３４４  ズーム制御手段
３５０  レンズシステム制御回路
【図１】
0003950550.tif 000002
【図２Ａ】
0003950550.tif 000003
【図２Ｂ】
0003950550.tif 000004
【図３Ａ】
0003950550.tif 000005
【図３Ｂ】
0003950550.tif 000006
【図４】
0003950550.tif 000007
【図５】
0003950550.tif 000008
【図６】
0003950550.tif 000009
【図７】
0003950550.tif 000010
【図８】
0003950550.tif 000011
【図９】
0003950550.tif 000012
【図１０】
0003950550.tif 000013
【図１１】
0003950550.tif 000014
【図１２】
0003950550.tif 000015
【図１３】
0003950550.tif 000016
【図１４】
0003950550.tif 000017
【図１５】
0003950550.tif 000018
【図１６Ａ】
0003950550.tif 000019
【図１６Ｂ】
0003950550.tif 000020
【図１７Ａ】
0003950550.tif 000021
【図１７Ｂ】
0003950550.tif 000022
【図１８】
0003950550.tif 000023